(57)【特許請求の範囲】
【請求項１】
封止可能な第１取り出し口を有する少なくとも１つの独立した第１コンテナ部と、封止可能な第２取り出し口を有する独立した第２コンテナ部と、を備えた製品用容器の構成であって、
前記第１コンテナ部は、凹部の範囲を部分的に定める壁を有し、
前記第２コンテナ部は、前記第１コンテナ部及び前記第２コンテナ部が前記容器の構成を形成するように連結可能な態様で、前記第１コンテナ部の前記凹部に取り外し可能に配設され、前記第１取り出し口及び前記第２取り出し口は異なる方向を向き、前記第１取り出し口は第１封止部により封止可能であり、前記第２取り出し口は第２封止部により封止可能な、製品用容器の構成において、
前記第２封止部は、前記第２コンテナ部が前記第１コンテナ部の前記凹部に挿入され、前記第２封止部が前記第２コンテナ部の前記第２取り出し口に配設されたとき、前記第１コンテナ部の前記壁の端部領域に配設された係止構成及び前記第２コンテナ部の壁に配設された係止構成を係止する係止構成を有し、
前記第１及び第２コンテナ部が互いに連結されたときに、少なくとも前記第２封止部が、係止するように前記第２コンテナ部の部分領域及び前記第１コンテナ部の部分領域と、前記第２コンテナ部の取付方向と直交する方向から見た場合に重なる、
ことを特徴とする容器の構成。
【請求項２】
前記第１コンテナ部が前記第２コンテナ部に連結されたときに、前記容器の構成は、均一の、好ましくは円柱形の、封止された断面を有する、
ことを特徴とする請求項１に記載の容器の構成。
【請求項３】
前記第１取り出し口及び前記第２取り出し口は、互いに同軸に配設される、
ことを特徴とする請求項１または２に記載の容器の構成。
【請求項４】
前記第２封止部の前記係止構成は、前記第２封止部の内側に配設された少なくとも１つの係止突起、または少なくとも１つの係止溝の形状を有し、
前記第１コンテナ部の前記壁の前記係止構成は、前記壁の外側に配設された少なくとも１つの係止溝、または少なくとも１つの係止突起の形状を有し、
前記第２コンテナの前記壁の前記係止構成は、前記第２コンテナ部の前記壁の前記外側に配設された少なくとも１つの係止溝、または少なくとも１つの係止突起の形状を有する、
ことを特徴とする請求項１乃至３のいずれか１項に記載の容器の構成。
【請求項５】
前記凹部は前記第１封止部の側から前記第２封止部の側に延び、
前記第１コンテナ部の前記第１封止部は、前記第２コンテナ部が前記第１コンテナ部の前記凹部に挿入され、前記第１封止部が前記第１コンテナ部の前記第１取り出し口に配設されたとき、前記第１コンテナ部の前記壁の端部領域に配設された更なる係止構成及び前記第２コンテナ部の前記壁に配設された更なる係止構成を係止する係止構成を有する、
ことを特徴とする請求項１乃至４のいずれか一項に記載の容器の構成。
【請求項６】
前記第２コンテナ部は前記凹部に対して、凸及びまたは非凸及びまたは強固に接着された係止要素の助けにより固着可能な、
ことを特徴とする請求項１乃至５のいずれか一項に記載の容器の構成。
【請求項７】
前記第１コンテナ部は、前記凹部の範囲を定め、かつ前記第１コンテナの長手方向軸に対して反対に配置される複数の脚部を備え、
前記第２封止部は、前記第２コンテナ部が前記第１コンテナ部の前記凹部に挿入され、前記第２封止部が前記第２コンテナ部の前記取り出し口に配設されたとき、前記脚部の前記端部領域に配設された係止構成及び前記第２コンテナ部に配設された係止構成を係止する係止構成を備える、
ことを特徴とする請求項１乃至６のいずれか一項に記載の容器の構成。
【請求項８】
前記第２封止部の前記係止構成、前記脚部の前記係止構成及び前記第２コンテナ部の係止構成が、スナップ封止またはネジ封止を形成する、
ことを特徴とする請求項７記載の容器の構成。
【請求項９】
前記第１コンテナ部は、前記脚部の間に、前記第１コンテナ部の前記脚部の間の前記凹部を部分的に占め、前記第１コンテナ部が前記第２コンテナ部に連結されたときに、第１脚部と前記容器の構成の前記長手方向軸に対して前記第１脚部と反対に位置する第２脚部との間に形成された前記第２コンテナ部のくぼみと係合する補助コンテナ部を有する、
ことを特徴とする請求項７または８に記載の容器の構成。
【請求項１０】
前記第２コンテナ部は、前記第２コンテナ部の前記脚部の間に、前記第２コンテナ部の前記脚部の間の前記凹部を部分的に占め、前記第１コンテナ部が前記第２コンテナ部に連結されたときに、前記第１コンテナ部の前記凹部と係合する、補助コンテナ部を有する、
ことを特徴とする請求項９に記載の容器の構成。
【請求項１１】
前記第１封止部は、前記第２コンテナ部が前記第１コンテナ部の前記凹部に挿入され、前記第１封止部が前記第１コンテナ部の前記取り出し口に配設されたとき、前記第２コンテナ部の前記脚部の前記端部領域に配設された前記係止構成及び前記第１コンテナ部を係止する係止構成を備えた、
ことを特徴とする請求項７乃至１０のいずれか一項に記載の容器の構成。
【請求項１２】
前記第２コンテナ部をその内部に挿入可能な前記第１コンテナ部の前記凹部は、前記第１コンテナ部の延長部の横方向隣に配設され、
前記第２コンテナ部は、前記第１コンテナ部の更なる凹部と係合する延長部を有し、
前記第１コンテナ部の前記延長部は、前記第１コンテナ部と前記第２コンテナ部が互いに連結されたときに前記第２コンテナ部の更なる凹部と係合し、
前記第１コンテナ部の前記延長部は、前記第２封止部に対向する端部領域に、前記第２封止部の前記係止構成を係止する係止構成を有し、前記第２コンテナ部は、前記第２コンテナ部の前記第２封止部が前記第２コンテナ部の前記取り出し口に配設されたとき、前記第２封止部の前記係止構成を係止する係止構成を有する、
ことを特徴とする請求項１乃至６のいずれか一項に記載の容器の構成。
【請求項１３】
前記第２コンテナ部の前記延長部は、前記第１コンテナ部の前記第１封止部が前記第１コンテナ部の前記取り出し口上に配設されたとき、前記第１封止部に対向する端部領域に前記第１封止部の前記係止構成を係止する係止構成を有し、
前記第１コンテナ部に、前記第１封止部の前記係止構成を係止する係止構成を有する、
ことを特徴とする請求項１２に記載の容器の構成。
【請求項１４】
前記第２封止部の前記係止構成は、前記第２封止部の内部に配設された少なくとも１つの係止突起、または少なくとも１つの係止溝の形状を有し、
前記第１コンテナ部の前記脚部または前記延長部の前記係止構成は、前記第１コンテナ部の前記脚部の外面又は前記延長部の外面に配設された少なくとも１つの係止溝、または少なくとも１つの係止突起の形状を有し、
前記第１封止部の前記係止構成は、前記第１封止部の内面に配設された少なくとも１つの係止突起または少なくとも１つの係止溝の形状を有し、
前記第２コンテナ部の前記脚部または前記延長部の前記係止構成は、前記第２コンテナ部の前記脚部の外面または前記第２コンテナ部の前記延長部の外面に配設された係止溝または少なくとも１つの係止突起の形状を有すること、
を特徴とする請求項７乃至１３のいずれか一項に記載の容器の構成。
【請求項１５】
前記延長部は、前記容器の構成の長手方向軸に対して反対に位置する、もしくは、前記延長部は、前記第１コンテナ部が前記第２コンテナ部に連結されたとき、互いに９０°ずれる、
ことを特徴とする請求項１２乃至１４に記載の容器の構成。
【請求項１６】
前記第２コンテナ部は、前記第１コンテナ部に対向する面に固定要素を有し、前記第１コンテナ部は、前記第２コンテナ部に対向する面に固定要素を有し、
前記固定要素は、前記容器の構成の長手方向軸に対して横方向の前記第１及び第２コンテナ部の変位を防止する、
ことを特徴とする請求項１乃至１５のいずれか一項に記載の容器の構成。
【請求項１７】
前記固定要素は、互いに当接する固定スロープ、または軸方向に噛合する突起及びくぼみの形状を取る、
ことを特徴とする、請求項１６に記載の容器の構成。
【発明の詳細な説明】
【技術分野】
【０００１】
本発明は、それぞれが少なくとも１つの封止可能な取り出し口を各自有する、少なくとも２つの独立したコンテナ部を備えた製品用容器の構成に関する。
【背景技術】
【０００２】
ドイツ特許出願公開第１０２０１００５２２２５号公報には、第１及び第２コンテナ部を備えた容器の構成が記載されている。各コンテナ部は、独立した取り出し口を有する。コンテナ部は、第１コンテナ部の取り出し口が第１の方向を向き、第２コンテナ部の取り出し口が第２の方向を向くように、互いに連結可能である。
【０００３】
欧州特許出願公開第０９４８４４８号公報には、共通の取り出し口により空にすることができる、２つのコンテナ部を備えた容器の構成が記載されている。２つのコンテナ部は、互いに分離可能に連結される。連結状態において、両者は単一のボトルを形成する。２つのコンテナ部の製品は、共通の取り出し口からのみ空にすることができ、このため取り出し工程中に２つのコンテナ部に入った２つの製品が望ましくない態様で混合されかねないという問題が生じる。
【発明の概要】
【発明が解決しようとする課題】
【０００４】
本発明の目的は、互いに簡単な態様で連結可能であり、同時に、コンテナ部の製品が連結状態であっても互いに独立して取り出し可能な少なくとも２つのコンテナ部を備えた、容器の構成を提供することにある。
【課題を解決するための手段】
【０００５】
この目的は、請求項１の特徴を有する容器の構成により達成することができる。このため、本願にかかる製品用の容器の構成は、封止可能な取り出し口を有する少なくとも１つの独立した第１コンテナ部と、封止可能な取り出し口を有する独立した第２コンテナ部を備え、前記第２コンテナ部は、前記第１コンテナ部及び前記第２コンテナ部が前記容器の構成を形成するように連結可能な態様で、前記第１コンテナ部の凹部に取り外し可能に配設される。前記第１取り出し口及び前記第２取り出し口は、異なる方向を向く。前記第１取り出し口は第１封止部により封止可能であり、前記第２取り出し口は第２封止部により封止可能である。前記第１及び第２コンテナ部が互いに連結されたときに、少なくとも前記第２封止部は係止するように前記第２コンテナ部の部分領域及び前記第１コンテナ部と同時に重なる。
【０００６】
本発明に係る容器の構成の重要な利点は、２つのコンテナ部が迅速に且つ簡単に互いに連結可能であるので、その適用及び取扱いに応じて、両者は１個として共同でまたは互いに独立して運搬及び取扱いすることができる。このとき、第２コンテナ部を第１コンテナ部の凹部に挿入またはスライドし、第２コンテナ部の封止部を第１コンテナ部に装着または位置するだけで両者を係止することができる。
【０００７】
本容器の構成の２つのコンテナ部は、固体、液体、ゲル状、ペースト状またはガス状の物質さえも収容するのに適している。例えば、容器の構成のコンテナ部には、以下の組み合わせを収容することができる。シャンプー−リンス、シャンプー−シャワージェル、シャワージェル−スクラブ剤、ベビーオイル−ベビーローション、日焼けクリーム−日焼け後クリーム、マスタード−ケチャップ、マスタード−マヨネーズ。
【０００８】
本発明の一利点として、例えば色や、ラベル表示や透明性を利用してコンテナ部に含まれる製品を視覚的に識別可能に表示することなど、本容器の構成のコンテナ部を、異なる特徴を利用して個別に構成することが可能である。
【０００９】
さらに、本容器の構成のコンテナ部は、その適用に応じて異なる形状及び寸法を有することができる。この場合、相互接続したコンテナ部は全体として、既に市場で確立した製品の形状及びデザインを有することも可能である。これにより、既に存在するデザインとの調和のとれた適応が可能となり、製品の特定の形状及び寸法に慣れている購入者が再度新たな形状や寸法に慣れる必要がなくなる。
【００１０】
本容器の構成の２つのコンテナ部の取り出し口は異なる方向を向くため、特に、容器の構成の長手方向軸に沿って互いに反対側に存在するため、コンテナ部が互いに連結されても独立して圧迫して空にすることができる。この場合、内容物または製品に応じて、コンテナ部に様々な大きさの圧力を適用することができる。好ましくは、コンテナ部は、特に製品を取り出すために素材または各コンテナ部の圧搾性を異ならせるよう、異なる素材及びまたは異なる素材の厚みを有することができる。この結果、取り出しのためにかけられる圧力は、各コンテナ部に含まれる製品に応じて、またはその粘度に応じて、個別に適合可能である。コンテナ部は、取り出し後に所定の比率で互いに混合される内容物が収容される場合、コンテナ部に含まれる材料成分を調整することができるよう、異なる体積または容積を有することができる。粘性の高い製品を特に簡便に取り出せるよう、当該製品を含むコンテナ部は、その封止部を対応する載置面上に配置することができる。
【００１１】
好ましくは、本発明は、コンテナ部に含まれる製品の商標表示、製品情報または広告情報を、コンテナの一方向のみに表示させることができる。これにより、再販業者の商品棚において、視覚的に明らかなように簡便に且つ改善した状態で製品を提示することができる。
【００１２】
本発明の有利な実施形態は、各従属項に記載される。本発明の特に有利な更なる展開において、前記容器の構成は、前記第１コンテナ部が前記第２コンテナ部に連結されたときに、均一の閉じた断面を、好ましくは円柱形断面を有する。好ましくは、特に取り扱いしやすい本容器の構成の第１取り出し口及び第２取り出し口は、互いに同軸に配設される。全体として特に安定した容器の構成を作成するために、第２コンテナ部は好ましくは、前記凹部に対して、凸及びまたは非凸及びまたは強固に接着された係止要素の助力により、固着される。
【００１３】
本発明の好ましい実施形態において、前記第１コンテナ部は前記凹部の範囲を部分的に定める壁を有し、前記第２封止部は、前記第２コンテナ部が前記第１コンテナ部の前記凹部に挿入され、前記封止部が前記第２コンテナ部の前記取り出し口に配設されたとき、前記第１コンテナ部の前記壁の端部領域に配設された係止構成及び第２コンテナ部の壁に配設された係止構成を係止する係止構成を有する。同時に、特に好ましくは、前記第２封止部の前記係止構成は、前記第２封止部の前記内側に配設された少なくとも１つの係止突起（または少なくとも１つの係止溝）の形状を有し、前記壁の前記係止構成は、前記壁の前記外側に配設された少なくとも１つの係止溝（または少なくとも１つの係止突起）の形状を有する。好ましくは、前記第２コンテナの前記壁の前記係止構成は、前記第２コンテナ部の前記壁の前記外側に配設された少なくとも１つの係止溝（または少なくとも１つの係止突起）の形状を有する。
【００１４】
本発明の更なる好ましい実施形態において、前記凹部は前記第１封止部の側から前記第２封止部の側に延び、前記第１コンテナ部の前記第１封止部は、前記第２コンテナ部が前記第１コンテナ部の前記凹部に挿入され、前記第１封止部が前記第１コンテナ部の前記取り出し口に配設されたとき、前記第１コンテナ部の前記壁の端部領域に配設された更なる係止構成及び前記第２コンテナ部の前記壁に配設された更なる係止構成を係止する係止構成を有する。
【００１５】
本発明の更なる実施形態において、前記第１コンテナ部は、前記凹部の範囲を定め、かつ前記第１コンテナの前記長手方向軸に対して反対に配置される脚部を備え、前記第２封止部は、前記第２コンテナ部が前記第１コンテナ部の前記凹部に挿入され、前記第２封止部が前記第２コンテナ部の前記取り出し口に配設されたとき、前記脚部の端部領域に配設された係止構成及び前記第２コンテナ部に配設された係止構成を係止する係止構成を備えている。この場合、好ましくは、前記第２封止部の前記係止構成、前記脚部の前記係止構成、及び前記第２コンテナ部の係止構成が、特に取り扱いが容易なスナップ封止またはネジ封止を形成する。
【００１６】
本発明の好ましい更なる展開において、前記第１コンテナ部は、前記脚部の間に、前記第１コンテナ部の前記脚部の間の前記凹部を部分的に占め、前記第１コンテナ部が前記第２コンテナ部に連結されたときに、前記第１脚部と前記容器の構成の前記長手方向軸に関して第１脚部と反対に位置する第２脚部の間に形成された前記第２コンテナ部のくぼみと係合する、補助コンテナ部を有する。
【００１７】
本発明の他の更なる展開において、前記第２コンテナ部もまた、前記脚部の間に、前記第１コンテナ部が前記第２コンテナ部に連結されたときに、前記第２コンテナ部の前記脚部の間の前記凹部を部分的に占め、前記第１コンテナ部の前記凹部と係合する、補助コンテナ部を有する。
【００１８】
本容器の構成の前述の実施形態において前記第２コンテナ部が脚部を有するときに、特に好ましくは、前記第１封止部は、前記第２コンテナ部が前記第１コンテナ部の前記凹部に挿入され、前記第１封止部が前記第１コンテナ部の前記取り出し口に配設されたとき、前記第２コンテナ部の前記脚部の前記端部領域に配設された前記係止構成及び前記第１コンテナ部を係止する係止構成を備えている。２つのコンテナ部の対応する構成と寸法により、両コンテナ部は、望ましいことに、プラスチック素材から同一の形状を用いて費用効率良く製造可能である。
【００１９】
本容器の構成の更なる好ましい実施形態において、前記第２コンテナ部がその内部に挿入可能な前記第１コンテナ部の前記凹部は、第１コンテナ部の延長部の横方向隣に配設され、前記第２コンテナ部は、前記第１コンテナ部の更なる凹部と係合する延長部を有する。前記第１コンテナ部の前記延長部は同時に、前記第１コンテナ部と前記第２コンテナ部が互いに連結されたときに前記第２コンテナ部の更なる凹部と係合する。前記第１コンテナ部の前記延長部は、前記第２封止部に対向する端部領域に、前記第２封止部の前記係止構成を係止する係止構成を有し、前記第２コンテナ部は、前記第２コンテナ部の前記第２封止部が前記第２コンテナ部の前記取り出し口に配設されたとき、前記第２封止部の前記係止構成を係止する係止構成を有する。同時に、前記第２コンテナ部の前記延長部は、前記第１コンテナ部の前記第１封止部が前記第１コンテナ部の前記取り出し口に配設されたとき、前記第１封止部に対向する端部領域に、前記第１封止部の前記係止構成を係止する係止構成を有し、前記第１コンテナ部に、前記第１封止部の前記係止構成を係止する係止構成を有する。
【００２０】
本容器の構成の更なる好ましい実施形態において、前記第２封止部の前記係止構成は、前記第２封止部の内部に配設された少なくとも１つの係止突起または少なくとも１つの係止溝の形状を有し、前記第１コンテナ部の前記脚部また前記延長部の前記係止構成は、前記第１コンテナ部の前記脚部の外面又は前記延長部の外面に配設された少なくとも１つの係止溝または少なくとも１つの係止突起の形状をとる。更に、前記第１封止部の前記係止構成は、前記第１封止部の内面上に配設された少なくとも１つの係止突起または少なくとも１つの係止溝の形状を有し、及び前記第２コンテナ部の前記脚部または前記延長部の前記係止構成は、前記第２コンテナ部の前記脚部の外面または前記第２コンテナ部の前記延長部の外面に配設された係止溝または少なくとも１つの係止突起の形状を有する。更なる凹部または前記延長部は、前記容器の構成の前記長手方向軸または前記延長部（５−５,５−２５）に対して反対に位置することができ、または前記第１コンテナ部が前記第２コンテナ部に連結されたとき、互いに９０°ずらして配置することができる。こうした延長部を含む容器の構成であっても、コンテナ部は、同型で同一の金型を用いてプラスチック素材から製造可能なように寸法づけることができる。
【００２１】
２つのコンテナ部を特に安定して連結するために、前記第２コンテナ部は、前記第１コンテナ部に対向する面に固定要素を有することができ、前記第１コンテナ部は、前記第２コンテナ部に対向する面に固定要素を有し、前記固定要素は前記容器の構成の前記長手方向軸に対して横方向の前記第１及び第２コンテナ部の変位を防止するものである。これらの固定要素は、好ましくは、互いに当接する固定スロープ、または軸方向に噛合する突起及びくぼみの形状を有することができる。
【００２２】
本発明とその実施形態を、図面に関連して以下に詳細に説明する。
【図面の簡単な説明】
【００２３】
図１から３は、本発明による容器の構成の第１実施形態を示す図である。
【００２４】
図４ａから４ｄは、１つのコンテナ部が他のコンテナ部の凹部に実質的に完全に収納される、本発明による容器の構成の第２実施形態を示す図である。
【００２５】
図５ａから５ｃは、各コンテナ部がそれぞれ互いのコンテナ部の部分領域を収容するための少なくとも１つの凹部を有する、本発明による容器の構成の第３実施形態を示す図である。
【００２６】
図６ａから６ｃは、２つのコンテナ部が同一の寸法で同型である、本発明による容器の構成の第４実施形態を示す図である。
【００２７】
図７ａから７ｃ、及び図８ａから８ｃは、本発明の更なる展開を示す図である。
【発明を実施するための形態】
【００２８】
第１に、本発明の一般的な実施形態を、図１から３と関連して詳細に説明する。このため、本容器の構成１は、コンテナ部２及びコンテナ部３を備えている。封止部１０または１１は、コンテナ部２及び３のそれぞれの表面に配設される。封止部１０はその表面に蓋部２１を有する。同様に、封止部１１はその表面に蓋部１２を有する。コンテナ部３は、コンテナ部２のくぼみまたは凹部８に配設される。組み立てられた２つのコンテナ部２及び３は、好ましくは均一の閉じた断面５を有する容器の構成１を形成する。好ましくは、コンテナ部２及び３は互いの約１８０°反対側に、且つ同軸に配設される。
【００２９】
本発明の好ましい実施形態において、図１の封止部１０に示すように、封止部１０及び封止部１１はそれぞれ中央開口２７を有する。この開口２７を通じて、コンテナ部２または３内部の製品を取り出すことができる。蓋部１２または２１は、好ましくは、ヒンジ部２７の助けにより、封止部１０または１１に回動可能に固着される。くい形状のストッパー部２９は、好ましくはいずれの場合でも、蓋部１２または２１の中心でかつ蓋部１２または２１の封止部１０または１１に対向する側に配設され、ストッパー部は、コンテナ部２または３を密閉状態に封止するため、蓋部１２または２１が閉じた状態で封止部１０または１１の開口２７と係合する。
【００３０】
容器の構成１は全体として円筒形状、好ましくは円柱形状を有する。装着する際、容器の構成１は蓋部１２または２１の面に対して垂直に載置することができる。他の断面形状、例えば長方形または楕円の円筒断面形状も採用可能である。
【００３１】
図１及び２は、容器の構成１を形成する、コンテナ部２及び３の相互連結状態を示す。この場合、コンテナ部３はコンテナ部２の凹部８に配設され、コンテナ部３の壁面は、コンテナ部２の凹部８の壁面に対して、凸及びまたは非凸及びまたは強固な接着態様で係合できる。符号２２（図３）は、コンテナ部３のコンテナ部２に対する非凸係止のために用いられる係止要素の例を単に示している。
【００３２】
図２に示すコンテナ部２は、コンテナ部３の取り出し口９に対して１８０°ずれた位置にある取り出し口７を有する。好ましくは、取り出し口７及び９は、互いに同軸に配設される。コンテナ２の外周には、封止部１０とコンテナ部２とを連結することのできる係止構成が設置される。係止構成は、好ましくは、コンテナ部２の円周方向に形成される係止溝１３の形状を有する。封止部１０のコンテナ部２への連結のため、係止突起（図示せず）は、好ましくはコンテナ部２の係止溝１３内へ係合またはスナップばめできるよう、封止部１０の内部に配設される。例えばネジまたはスナップ連結といった他の係止構成も採用可能である。
【００３３】
コンテナ部３の取り出し口９は、係止構成を有し、好ましくは、容器の構成１の外周上の取り出し口９の領域において、円周方向に部分的にコンテナ部３の上に延長し、及び部分的にコンテナ部２の上に延長する、係止溝１４を有する。このため、図１に基づき封止部１１を固着する場合、２つのコンテナ部２及び３は、コンテナ部３がコンテナ部２の凹部８に挿入されると、自動的に互いに堅固に連結される。例えばネジまたはスナップ連結といった他の連結アレンジメントも、上記した機能を果たすのであれば採用可能である。
【００３４】
図３は、容器の構成１の長手方向軸１７に沿った縦断面を示す。コンテナ部３は、コンテナ部２の凹部８内に配設される。この場合、コンテナ部２の壁部２０の部分または円周３６は、コンテナ部３の壁２１の相補的部分３７に当接する。封止部１０及び１１がコンテナ部２または３の取り出し口７または９に重なり、また説明済の係止溝１３及び１４は、コンテナ部２の外周に沿って（係止溝１３）、またコンテナ部３及びコンテナ部２の外周に沿って（係止溝１４）、容器の構成１の長手方向軸１７に対して放射状に延びていることが確認できる。容器の構成１は取り出し口９の領域にコンテナ部２及び３を含むことから、係止溝１４は壁部２０及び２１に沿って容器の構成１の長手方向軸１７に対して放射状に延びる。本発明の更なる展開において、凹部８がコンテナ部２の全長にわたって延び、また説明済みの封止部１１の領域での係止において、コンテナ部３が同様に封止部１０の領域で係止されてもよい。
【００３５】
図４ａから４ｄを参照して、本発明による容器の構成１−１のより特別な実施形態は、第１コンテナ部１−２と第２コンテナ部１−３、及び第１封止部１−１０と第２封止部１−１１を備えている。
【００３６】
第１コンテナ部１−２は、２つのコンテナ部１−２、１−３が好ましくは均一の断面を有する成形体である容器の構成１−１を形成するような態様で第２コンテナ部１−３をその中に挿入可能な、凹部１−４を備えている。第１コンテナ部１−２の凹部１−４は、この場合、第１コンテナ部１−２の縦方向に対して横方向に互いに間隔を存した２つの脚部１−５及び１−６から形成され、脚部１−５及び１−６は第１コンテナ部１−２の取り出し口１−７（図４ｃ）に対向する側において、第１コンテナ部１−２の連結領域１−８により相互に連結される。凹部１−４は、コンテナ部１−３が取り出し口１−７の逆方向の側から凹部１−４に挿入可能な態様で、取り出し口１−７の逆方向の側に開口する。挿入方向から見ると、第２コンテナ部１−３は、第１コンテナ部１−２の取り出し口１−７とは逆方向の側に、取り出し口１−９（図４ｃ）を有する。
【００３７】
第２コンテナ部１−３は、第１コンテナ部１−２に対向する側において、好ましくは、特に図１ｂ及び１ｃから明らかなように、固定スロープ１−１５を有し、固定スロープ１−１５は、コンテナ部１−３が完全にコンテナ部１−２の凹部１−４に挿入されたとき、それぞれが、固定スロープ１−１５に相補的に形成された第１コンテナ部１−２の固定スロープ１−１７に作用する。固定スロープ１−１７は、特に図１ｄから明らかである。固定スロープ１−１５及び関連する固定スロープ１−１７は、第２コンテナ部１−３が完全に第１コンテナ部１−２に挿入されたときに、固定スロープ１−１５及び１−１７の領域における２つのコンテナ部が、コンテナ部１−２及び１−３の長手方向軸に対して横方向に互いに変位することを防止する。固定スロープ１−１５及び１−１７の代わりに、他の固定装置を用いることもできる。例えば、第１コンテナ部１−２に対向する第２コンテナ部１−３の端部を円錐形に構成し、第１コンテナ部１−２の対応するくぼみに係合するようにしてもよい。
【００３８】
第１コンテナ部１−２の取り出し口１−７は、封止部１−１０により封止することができる。同様に、第２コンテナ部１−３の取り出し口１−９は、封止部１−１１により封止することができる。
【００３９】
封止部１−１０は、連結アレンジメントの助力により、好ましくは第１コンテナ部１−２へのスナップ封止により、固着することができる。このため、第１コンテナ部１−２は、好ましくは封止部１−１０に対向する側に、円周方向に走る係止溝１−１３（図４）を有し、係止溝１−１３に対して、好ましくは環状に構成された封止部１−１０の内周に位置する係止突起１−１９が、封止部１−１０を係止するために係合することができる。係止突起を、コンテナ部１−２に設け、封止部１−１０に係止溝を設けることも可能である。例えば、ネジやスナップ連結といった他の係止装置を、この領域で用いてもよい。
【００４０】
同様に、円周方向に走る係止溝１−１４が、コンテナ部１−３の封止部１−１１に対向する側に位置し、同様に円周方向に伸びる係止溝１−１６が、脚部１−５及び１−６のコンテナ部１−３に対向する側の端部領域に位置する。係止溝１−１４及び１−１６は、第２コンテナ部１−３が第１コンテナ部１−２に完全に挿入されたとき、好ましくは環状に形成された封止部１−１１の内周に位置する係止突起１−２０が、封止部１−１１を係止するために係合できるよう、全体として円周溝を形成するよう構成される。本発明の主な利点は、第２コンテナ部１−３が第１コンテナ部１−２に完全に挿入されたとき、第２コンテナ部１−３が自動的に第１コンテナ部１−２に係止され、取り出し口１−９（図４ｃ）の封止にあたり円周溝を形成するよう互いに整列する係止溝１−１４及び１−１６に対して係止突起１−２０が係合する点にある。係止突起１−２０を脚部１−５及び１−６に設け、係止溝１−１６を封止部１−１１に設けても良い。例えばネジやスナップ連結といった他の係止装置をこの領域で用いてもよい。
【００４１】
本発明による容器の構成２−１であって、コンテナ部２−２が実質的に図４ａから４ｃの容器の構成のコンテナ部に対応する、容器の構成の更なる実施形態を、図５ａから５ｃを参照しつつ以下に説明する。コンテナ部２−２は、コンテナ部２−２の脚部２−５及び２−６間の凹部２−４が、コンテナ部２−２の容積と連通する容積を含む補助コンテナ部２−２２により部分的に占められている点のみが、図４ａから４ｃのコンテナ部１−２と異なる。これにより、コンテナ部２−２は、図４ａから１ｄのコンテナ部１−２の全容積よりも大きな全容積を有することができる。
【００４２】
コンテナ部２−２及び２−３の連結を可能とするため、コンテナ部２−３は、コンテナ部２−２及び２−３が互いに連結されたときに補助コンテナ部２−２２が完全に収容されるようなくぼみ２−２１を有する。コンテナ部２−３におけるくぼみ２−２１の構成により、コンテナ部２−３もまた２つの脚部２−２３及び２−２４を有することとなり、２つの脚部２−２３及び２−２４は、くぼみ２−２２の範囲を反対側同士で規定し、コンテナ部２−２及び２−３が互いに連結されて均一の閉じた断面を有する成形体を形成するときに、補助コンテナ部２−２２の外側に当接する。好ましくは、コンテナ部２−２及び２−３の連結状態において、コンテナ部２−２の脚部２−５及び２−６は、容器の構成２−１の周方向から見たときに、コンテナ部２−３の脚部２−２３及び２―２４に対して、それぞれ互いに９０°ずれる。コンテナ部２−２及び２−３を連結するとき、補助コンテナ部２−２１は、コンテナ部２−３の案内の役割を果たす。
【００４３】
封止部２−１０、２−１１、蓋部２−１２、２−２１、係止溝２−１３、２−１４、２−１６、係止突起２−１９、２−２０、及び固定スロープ２−１５の構成は、好ましくは図４ａから４ｄの対応する要素の構成と対応する。これらの図の説明に関連して、他の対応する構成を採用することも可能である。
【００４４】
本発明による容器の構成３−１であって、実質的に図５ａから５ｃの容器の構成に対応する容器の構成の更なる実施形態を、図６ａから６ｃを参照しつつ説明する。容器の構成２−１との唯一の差異は、各コンテナ部３−２及び３−３が、脚部３−５及び３−６または３−２３及び３−２４間に補助コンテナ部３−２２または３−２５（図６ｃ）を有し、補助コンテナ部のそれぞれが脚部３−５及び３−６または３−２３及び３−２４の間の対応する凹部３−４または３−２１へ突出し、同時にそれぞれ脚部３−５及び３−６または３−２３及び３−２４を連結する横断部を形成する。このとき、好ましくは補助コンテナ部３−２２及び３−２５は、容器の構成３−１が２つの同一寸法のコンテナ部３−２及び３−３を有するよう、同一寸法である。こうすることで、コンテナ部３−２及び３−３を、同一の金型を用いて作成することが可能となり、これにより相応の費用を節約することができる。図５ａから５ｃに関連して既に説明した全ての他の要素（例えば、封止部３−１０、３−１１、蓋部３−１２、３−２１、係止溝３−１４、３−１６、及び係止突起３−１９、３−２０）も同様に構成することが可能である。上述した代替案も採用可能である。コンテナ部３−３の脚部３−２３、３−２４は、好ましくはコンテナ部３−２に対向する端部領域に、封止部３−１０の係止突起（または係止溝）と協働する係止溝３−１４（または係止突起）を有する。他の係止部、例えばスナップばめやネジ係合も、当該領域では採用可能である。
【００４５】
図７ａから７ｄは、実質的に図６ａから６ｃの実施形態に対応する、本容器の構成４−１の他の実施形態を示すが、各コンテナ部４−２及び４−３は、１つの脚部または１つの延長部４−５または４−２５のみを有する。この場合、延長部４−５または４−２５はそれぞれ、容器の構成４−１の縦方向に、実コンテナ部４−２または４−３を超えて突出する。延長部４−５に加えて、コンテナ部４−２は、コンテナ部４−３を収容するための凹部４−４、及びコンテナ部４−３の延長部４−２５を収容するための更なる凹部４−６（図４ｄ）を形成しまたは含む。同様に、延長部４−２５に加えて、コンテナ部４−３は、コンテナ部４−２を収容するための凹部４−２６、及びコンテナ部４−２の延長部４−５を収容するための更なる凹部４−２６（図４ｂ、ｃ）を形成しまたは含む。延長部４−５及び４−２５の端部領域は、更なる係止要素、好ましくは係止突起４−１９または４−２０と上述した態様で協働する係止要素、好ましくは係止溝４−１６または４−１４を有する。図６ａから６ｃに関連して既に説明した全ての他の要素（例えば、封止部４−１０、４−１１、蓋部４−１２、４−２１、係止突起４−１９、４−２０、係止溝４−１３、４−１４、４−１６）も同様に構成することが可能である。上述した代替案も採用可能である。
【００４６】
最後に、延長部５−５及び５−２５が容器の構成５−１の長手方向軸に対して反対ではなく互いに９０°ずれる、前述の容器の構成４−１に類似の容器の構成５−１を、図７ａから７ｄを参照して説明する。図６ａから６ｄに関して既に説明した詳細は、ハイフン後の数字が同一のそれぞれの符号に対応して適用される。
【００４７】
図７ａから７ｄ及び図８ａから８ｄによる本発明の更なる展開の利点は、２つのコンテナ部４−２、４−３または５−２、５−３を同型で構成可能であるため、同一の金型を用いて作成することが可能となり、これにより相応の費用を節約することができる。上述した脚部及び延長部は、対応する製品を収容するために適している。
【００４８】
上述した本発明による容器の構成は、好ましくは、射出成型で形成可能なプラスチック素材で構成される。
【図１】
0006266011.tif 000002
【図２】
0006266011.tif 000003
【図３】
0006266011.tif 000004
【図４】
0006266011.tif 000005
【図５】
0006266011.tif 000006
【図６】
0006266011.tif 000007
【図７】
0006266011.tif 000008
【図８】
0006266011.tif 000009